(57)【要約】【課題】簡易な構成で、ＬＥＤの配列基板を効率的に冷却することが可能なＬＥＤ照射装置及びＬＥＤ照射システムを提供する。【解決手段】本発明のＬＥＤ照射装置は、ケーシングと、配列基板と、複数のＬＥＤと、ヒートシンクと、送風機とを備える。ケーシングには、空気の吸入口及び排出口が形成されており、ケーシングは、矩形状の横断面を有する。配列基板は、ケーシング内に配置される。複数のＬＥＤは、配列基板の第１の面に配列されている。ヒートシンクは、配列基板の第２の面に配置され、複数の突起を有する。送風機は、空気をヒートシンクへ供給する。ヒートシンクの複数の突起は、空気を少なくとも上記横断面の長手方向に案内するように配列されている。排出口は、ケーシングの側面部において上記横断面の四隅に相当する部位付近に形成されている。【選択図】図３
2014078413.tif 000002
【特許請求の範囲】
【請求項１】
空気の吸入口及び排出口が形成されており、矩形状の横断面を有するケーシングと、
前記ケーシング内に配置される配列基板と、
前記配列基板の第１の面に配列されている複数のＬＥＤと、
前記配列基板の第２の面に配置され、複数の突起を有するヒートシンクと、
前記空気を前記ヒートシンクへ供給する送風機と
を備え、
前記ヒートシンクの前記複数の突起は、前記空気を少なくとも前記横断面の長手方向に案内するように配列されており、
前記排出口は、前記ケーシングの側面部において前記横断面の四隅に相当する部位付近に形成されている、
ＬＥＤ照射装置。
【請求項２】
前記ケーシングの側面部は、第１面部、前記第１面部に対向する第２面部、前記第１面部と前記第２面部との間に配置される第３面部、及び前記第３面部に対向する第４面部を有し、
前記排出口は、前記第１面部及び前記第２面部に形成されているが、前記第３面部及び前記第４面部には形成されていない、
請求項１に記載のＬＥＤ照射装置。
【請求項３】
前記ヒートシンクの前記複数の突起は、前記空気をさらに前記横断面の短手方向に案内するように配列されている、
請求項１又は２に記載のＬＥＤ照射装置。
【請求項４】
前記ヒートシンクの前記複数の突起は、前記短手方向に並ぶ複数の突起列を有し、
前記突起列は、前記長手方向に並ぶ複数の突起を有する、
請求項３に記載のＬＥＤ照射装置。
【請求項５】
前記排出口は、前記ケーシングの側面部において前記ヒートシンクと概ね同じ高さ位置に形成されている、
請求項１から４のいずれかに記載のＬＥＤ照射装置。
【請求項６】
前記送風機は、前記ケーシング内に前記ケーシングの天面部中央付近から前記ヒートシンクの中央付近へ進む気流を形成するように、前記ケーシングの天面部中央付近に配置されている、
請求項１から５のいずれかに記載のＬＥＤ照射装置。
【請求項７】
概ね一直線状に配列された、請求項２に記載の複数のＬＥＤ照射装置
を備え、
隣り合う任意の２つの前記ＬＥＤ照射装置について、一方の前記第３面部と他方の前記第４面部とが対面するように配置されている、
ＬＥＤ照射システム。
【発明の詳細な説明】
【技術分野】
【０００１】
本発明は、ＬＥＤ照射装置及びＬＥＤ照射システムに関する。
【背景技術】
【０００２】
従来より、ＬＥＤ照射装置において、ＬＥＤの配列基板の一方の面にヒートシンクを配置し、送風機から供給される空気により、ＬＥＤの発光熱を受け取るヒートシンクを冷却する技術が公知である（例えば、特許文献１）。このとき、送風機からの空気とヒートシンクとの間の熱交換効率を向上させるためには、ＬＥＤ照射装置のケーシング内に適切な気流を形成することが重要である。そこで、特許文献１では、直方体状のケーシングの天面付近に配置されたファンにより、底面付近のヒートシンクに送風するとともに、直方体状のケーシングの４つの側面のうちの１つの側面に形成されている吹出口を介して、ヒートシンク付近で滞留しがちな空気をケーシング外に排出している。
【先行技術文献】
【特許文献】
【０００３】
【特許文献１】特開２０１２−１８２０６３号公報
【発明の概要】
【発明が解決しようとする課題】
【０００４】
しかしながら、特許文献１では、吸入用のファンが複数用意されていたり、上記吹出口付近に空気の排出用のファンが用意されていたりする等、ケーシング内に適切な気流を形成するための様々な工夫が為されている。すなわち、従来、ケーシング内に適切な気流を形成するためには、ＬＥＤ照射装置の構成が複雑になり、コスト高になり得るという問題がある。
本発明は、簡易な構成で、ＬＥＤの配列基板を効率的に冷却することが可能なＬＥＤ照射装置及びＬＥＤ照射システムを提供することを目的とする。
【課題を解決するための手段】
【０００５】
本発明の第１観点に係るＬＥＤ照射装置は、ケーシングと、配列基板と、複数のＬＥＤと、ヒートシンクと、送風機とを備える。ケーシングには、空気の吸入口及び排出口が形成されており、ケーシングは、矩形状の横断面を有する。配列基板は、ケーシング内に配置される。複数のＬＥＤは、配列基板の第１の面に配列されている。ヒートシンクは、配列基板の第２の面に配置され、複数の突起を有する。送風機は、空気をヒートシンクへ供給する。ヒートシンクの複数の突起は、空気を少なくとも上記横断面の長手方向に案内するように配列されている。排出口は、ケーシングの側面部において上記横断面の四隅に相当する部位付近に形成されている。
【０００６】
ここでは、送風機により空気が吸入口を介してケーシング内へと吸い込まれ、配列基板の一方の面（第２の面）のヒートシンクに供給される。その後、ヒートシンクに達した空気は、ヒートシンクの複数の突起により案内されて、少なくともケーシングの横断面の長手方向に進み、排出口を介してケーシング外へ吹き出される。ここで、空気の排出口は、ケーシングの側面部において上記横断面の四隅に相当する部位付近に形成されている。その結果、少なくともケーシングの横断面の長手方向に沿ってヒートシンクを行き渡る気流が形成される。従って、簡易な構成で、ＬＥＤの配列基板を効率的に冷却することができる。
【０００７】
本発明の第２観点に係るＬＥＤ照射装置は、第１観点に係るＬＥＤ照射装置であって、ケーシングの側面部は、第１面部、第１面部に対向する第２面部、第１面部と第２面部との間に配置される第３面部、及び第３面部に対向する第４面部を有する。排出口は、第１面部及び第２面部に形成されているが、第３面部及び第４面部には形成されていない。
【０００８】
ここでは、ケーシングが、角筒状の側面部を有する。すなわち、ケーシングが、互いに対向する２つの側面部からなる対を２対有するが、これらの２対の側面部のうち、一方の対（第１面部及び第２面部）には空気の排出口が形成されているが、他方の対（第３面部及び第４面部）には空気の排出口が形成されていない。従って、このＬＥＤ照射装置を特定の場所に設置するに当たり、空気の排出口が形成されていない側面部（第３面部及び第４面部）側においては、排出される空気の経路を確保する必要がなく、例えば、これらの側面部が壁に接していてもよい。言い換えると、上述の気流を確保する観点からは、空気の排出口が形成されていない側面部の配置に関する制約がない。従って、ＬＥＤ照射装置の配置の自由度が上がる。なお、空気の排出口が形成されていない２つの側面部どうしが対向している上記構成は、ＬＥＤ照射装置を複数連結して一直線状に配置する場合に特に有用である。
【０００９】
本発明の第３観点に係るＬＥＤ照射装置は、第１観点又は第２観点に係るＬＥＤ照射装置であって、ヒートシンクの複数の突起は、空気をさらに上記横断面の短手方向に案内するように配列されている。
ここでは、ケーシングの横断面の長手方向のみならず、短手方向に沿ってもヒートシンクを行き渡る気流が形成される。従って、簡易な構成で、ＬＥＤの配列基板全体を隈なく冷却することができる。
【００１０】
本発明の第４観点に係るＬＥＤ照射装置は、第３観点に係るＬＥＤ照射装置であって、  ヒートシンクの複数の突起は、上記横断面の短手方向に並ぶ複数の突起列を有する。突起列は、上記横断面の長手方向に並ぶ複数の突起を有する。
ここでは、ヒートシンクの複数の突起が、ケーシングの横断面の長手方向及び短手方向の両方向に沿って２次元的に配列されている。その結果、空気が配列基板のヒートシング側の面（第２の面）上を２次元的に隈なく流れる。従って、空気をケーシングの横断面の長手方向及び短手方向の両方向に案内することが可能な簡易な構成のヒートシンクを提供することができる。
【００１１】
本発明の第５観点に係るＬＥＤ照射装置は、第１観点から第４観点のいずれかに係るＬＥＤ照射装置であって、排出口は、ケーシングの側面部においてヒートシンクと概ね同じ高さ位置に形成されている。従って、ここでは、送風機によりヒートシンクに供給された空気が、排出口に向かってそのままヒートシンクに沿って進み易くなる。その結果、空気とヒートシンクとの間の熱交換がさらに促される。
【００１２】
本発明の第６観点に係るＬＥＤ照射装置は、第１観点から第５観点のいずれかに係るＬＥＤ照射装置であって、送風機は、ケーシング内にケーシングの天面部中央付近からヒートシンクの中央付近へ進む気流を形成するように、ケーシングの天面部中央付近に配置されている。すなわち、ここでは、ケーシング内に形成される気流は、まず、ケーシングの天面部中央付近からヒートシンクの中央付近へ進み、その後、ヒートシンクの中央付近からヒートシンクに沿って排出口に進む。従って、ケーシング内での気流の概略の方向が、ヒートシンクの中心に対して対称的になり、ヒートシンクに気流が行き渡り易くなる。その結果、空気とヒートシンクとの間の熱交換がさらに促される。
【００１３】
本発明の第７観点に係るＬＥＤ照射システムは、概ね一直線状に配列された、第２観点に記載の複数のＬＥＤ照射装置を備える。ここで、隣り合う任意の２つのＬＥＤ照射装置について、一方の第３面部と他方の第４面部とが対面するように配置されている。
【００１４】
ここでは、複数の第２観点に係るＬＥＤ照射装置を概ね一直線状に配列して、ＬＥＤ照射システムを構築するに当たり、隣り合うＬＥＤ照射装置の、空気の排出口が形成されていない側面部（第３面部及び第４面部）どうしが互いに対面するように配置される。従って、複数のＬＥＤ照射装置間で、気流の干渉が防止される。
【発明の効果】
【００１５】
本発明によれば、少なくともケーシングの横断面の長手方向に沿ってヒートシンクを行き渡る気流が形成される。従って、簡易な構成で、ＬＥＤの配列基板を効率的に冷却することができる。
【図面の簡単な説明】
【００１６】
【図１】本発明の一実施形態に係るＬＥＤ照射装置の縦断面図である。
【図２】図１のＡ−Ａ線の位置で切ったＬＥＤ照射装置の縦断面図である。
【図３】図１のＢ−Ｂ線の位置で切ったＬＥＤ照射装置の横断面図である。
【図４】本発明の一実施形態に係るＬＥＤ照射装置の正面図である。
【図５】本発明の一実施形態に係るＬＥＤ照射システムのケーシングの横断面図である。
【発明を実施するための形態】
【００１７】
以下、図面を参照しつつ、本発明の一実施形態に係るＬＥＤ照射装置１及びＬＥＤ照射システム１００について説明する。ここで、ＬＥＤ照射システム１００は、複数のＬＥＤ照射装置１，１・・・を概ね一直線状に配列することにより製造される。従って、以下では、まず、ＬＥＤ照射装置１単体について説明した後、これらの連結構造体であるＬＥＤ照射システム１００について説明する。
【００１８】
＜１．ＬＥＤ照射装置＞
図１及び図２に示すように、ＬＥＤ照射装置１は、複数の平板状の基板２，２・・・と、これらの基板２，２・・・の一方の面（第１の面）に配列されている複数のＬＥＤ３，３・・・と、これらの基板２の他方の面（第２の面）に配列されている複数の放熱フィン４，４・・・とを備えている。基板２，２・・・、ＬＥＤ３，３・・・及び放熱フィン４，４・・・は、ケーシング２０内であって、ケーシング２０の底面部２０Ｆ付近に収容されている。放熱フィン４，４・・・は、全体としてヒートシンク４０を構成しており、ＬＥＤ３，３・・・の発光熱を冷却するための部品である。なお、本実施形態では、基板２，２・・・に直交する方向を上下方向又は縦方向と定義し、特に、ＬＥＤ３，３・・・側を下側、放熱フィン側を上側とする。また、基板２，２・・・に平行な方向を水平方向又は横方向と定義する。ケーシング２０は、横長の直方体状であり、従って、その横断面は矩形状である。基板２，２，・・・は、概ねケーシング２０の横断面全体に亘って矩形状に広がっている。言い換えると、複数の基板２，２・・・は、概ね同一の水平面上に並べて配置されている。放熱フィン４，４・・・についても、同様である。なお、以下、単に長手方向及び短手方向と言う場合には、それぞれケーシング２０の横断面の長手方向及び短手方向を意味することとする。
【００１９】
また、ＬＥＤ照射装置１は、ケーシング２０内であって、ケーシング２０の天面部２０Ａの中央付近に、ファン５を１つ備えており、ファン５の下方であって、放熱フィン４，４・・・の上方に、一対の案内板６，６を備えている。ファン５は、天面部２０Ａの中央付近に形成されている吸入口２１を介してケーシング２０内へ空気を吸い込み、この空気を案内部材６に沿ってヒートシンク４０の中央付近、ひいては基板２，２・・・の上面中央付近へ供給する。ここで、ケーシング２０は、全体として箱形に形成され、全体として角筒状の４枚の側面部２０Ｂ〜２０Ｅを有しているが、図３及び図４に示すように、ケーシング２０の４枚の側面部２０Ｂ〜２０Ｅのうち、互いに対向する横長の一対の側面部２０Ｂ，２０Ｄには、空気の排出口２２，２２・・・が形成されている。その結果、ヒートシンク４０に達した空気は、これらの排出口２２，２２・・・を介してケーシング２０外へ排出される。ケーシング２０内に形成される気流の詳細については、後述する。なお、本実施形態の説明においては、側面部２０Ｂを、ＬＥＤ照射装置１の正面と呼ぶ。また、以上の部品２，３，４，５，６は、全てケーシング２０内の所定の位置に、ねじ等の固定具により適宜固定されている。
【００２０】
本実施形態では、基板２，２・・・の下面に実装されているＬＥＤ３，３・・・は、公知の紫外線発光ダイオードであり、通電により紫外線を発光し、発光時に発熱する。また、ＬＥＤ３，３・・・は、基板２，２・・・の（すなわち、ケーシング２０の横断面の）短手方向の中央付近であって、基板２，２・・・の（すなわち、ケーシング２０の横断面の）長手方向全体に亘って配列されている。一方、ケーシング２０の底面部２０Ｆは、ＬＥＤ光を透過可能な材料から形成されている。その結果、ＬＥＤ３の光は、底面部２０Ｆを介してケーシング２０の外部に照射される。また、基板２，２・・・は、電子回路等を実装する公知の基板であり、ＬＥＤ３から発光熱を受け取って発熱する。なお、基板２，２・・・及びケーシング２０の材料は、特に限定されるものではないが、冷却の観点からは、熱伝導率が高いアルミニウム等の金属であることが好ましい。
【００２１】
ファン５は、ケーシング２０内に、ケーシング２０の天面部２０Ａの中央付近からヒートシンク４０の中央付近へ進む気流を形成する公知の送風機である。ファン５は、ケーシング２０の天面部２０Ａの吸入口２１の直下に配置されており、さらにファン５の直下には、案内部材６が配置されている。案内部材６は、空気の流れる方向、すなわち、上から下へ向かう方向に沿って先すぼみの筒状であり、ファン５よりもひと回り大きいサイズの上部の開口６Ａを介して内部に取り入れた空気を、開口６Ａよりも狭い下部の開口６Ｂを介して速度を上げてヒートシンク４０の中央付近に吹き付ける。開口６Ｂは、ヒートシンク４０の中央付近の直上に位置している。なお、案内部材６の材質は、特に限定されるものではないが、冷却の観点から、アルミニウム等の熱伝導率の高い金属であることが好ましい。
【００２２】
図１及び図３に示すように、ヒートシンク４０に含まれる放熱フィン４，４・・・は、基板２０上に互いに間隔をあけて配列されており、基板２，２・・・から概ね９０°起立している。本実施形態では、放熱フィン４，４・・・は、基板２，２・・・と一体的に形成されており、より具体的には、主として基板２，２・・・となる金属板の上面側に切り込みを入れ、当該切り込みの上側をその下側に対し概ね９０°折り曲げることにより、形成される。その結果、ＬＥＤ３，３・・・から基板２，２・・・へ伝わった熱が、さらに放熱フィン４，４・・・へ伝わり易く、放熱フィン４，４・・・を介しての熱交換効率が向上するようになっている。また、放熱フィン４，４・・・の材質は、特に限定されるものではないが、アルミニウム等の熱伝導率の高い金属であることが好ましい。
【００２３】
図３に示すように、放熱フィン４，４・・・は、長手方向及び短手方向の両方向に沿って二次元マトリクス状に配列されている。言い換えると、放熱フィン４，４・・・は、短手方向に所定間隔をおいて平行に並ぶ複数のフィン列を有し、各フィン列は、長手方向に所定間隔をおいて一直線状に並ぶ複数のフィンを有している。ここで、図１及び図３に示すように、各放熱フィン４は、正面視において矩形状であり、かつ、平面視において長手方向に沿ってやや細長く、従って、放熱フィン４，４・・・は、単体としても全体としても、空気を長手方向に沿って案内する指向性を有する。また、上記のとおり、長手方向に延びる一対の側面部２０Ｂ，２０Ｄには、ケーシング２０の内外を連通させる空気の排出口２２，２２・・・が形成されているが、図３及び図４に示すように、これらの排出口２２，２２・・・は、側面部２０Ｂ，２０Ｄにおいて、ヒートシンク４０及び基板２，２・・・と概ね同じ高さ位置であって、ケーシング２０の横断面の四隅に相当する部位付近に形成されている。その結果、案内部材６の下部の開口６Ｂを介して主としてヒートシンク４０の中央付近に供給された空気は、長手方向の両端に位置する側面部２０Ａ，２０Ｃ付近まで確実に案内される。すなわち、ファン５が駆動されると、ケーシング２０内には、天面部２０Ａの中央付近からヒートシンク４０の中央付近へと真っ直ぐ下方に進み、そこからヒートシンク４０に沿ってヒートシンク４０の長手方向の両端付近へと進む気流が形成される。
【００２４】
また、図３に示すように、放熱フィン４，４・・・は、長手方向にフィン列を形成しているとともに、短手方向にもフィン列を形成している。すなわち、放熱フィン４，４・・・間には、長手方向にも短手方向にも一定の間隔が空けられている。言い換えると、放熱フィン４，４・・・が配列される配列面上には、格子状の空気の流通路が形成されている。従って、上方からヒートシンク４０の中央付近に供給された空気は、放熱フィン４，４・・・に沿って長手方向に案内されるだけでなく、短手方向にも案内されることになり、放熱フィン４，４・・・が配列される配列面上を長手方向及び短手方向にジグザグに隈なく流れる。その結果、放熱フィン４，４・・・全体が万遍なく空冷される。なお、対面する放熱フィン４，４の間隔は、一例としては、１．５ｍｍ〜３．０ｍｍとすることができる。
【００２５】
次に、以上のように構成されたＬＥＤ照射装置１の動作を説明する。ＬＥＤ照射装置１を駆動させるときは、まず、図示しない電源をオンにすることにより、ＬＥＤ３を発光させるとともに、ファン５を回転させる。これにより、ＬＥＤ３の発光熱により基板２が発熱する。また、ファン５の回転により、冷却用の空気がファン５から案内部材６の内側へ送られ、この空気が案内部材６に囲まれる流路を介して、放熱フィン４，４・・・の配列の中央付近へ送られる。そして、放熱フィン４，４・・・の配列の中央付近へ送られた空気は、放熱フィン４，４・・・間に形成されている格子状の空気の流路を長手方向及び短手方向に適宜折れ曲がりながら進み、放熱フィン４，４・・・の配列面の四隅付近の排出口２２，２２・・・まで流れてゆき、排出口２２，２２・・・を介してケーシング２０の外部へ排出される。特に、長手方向に進んだ空気は、ケーシング２０の長手方向の端部の側面部２０Ｃ，２０Ｅに当たり、そこから直角に進路を変更して排出口２２に向かうため、空気をスムーズに排出口２２へ案内することができる。この過程で、空気と放熱フィン４，４・・・、及びその根本の基板２，２・・・との間で熱交換がされ、放熱フィン４，４・・・、及び基板２，２・・・が冷却される。
【００２６】
上記のようなＬＥＤ照射装置１によれば、ヒートシンク４０及び排出口２２の形状及び配置により、ケーシング２０内に、長手方向及び短手方向の両方向に沿ってヒートシンク４０を行き渡る気流が形成される。このとき、ヒートシンク４０へ常に新鮮な空気が供給されるとともに、冷却後の温まった空気も除去される。従って、簡易な構成で、ＬＥＤ３，３・・・の配列基板２，２・・・を効率的に隈なく冷却することができる。
【００２７】
＜２．ＬＥＤ照射システム＞
図５に示すように、ＬＥＤ照射システム１００は、複数のＬＥＤ照射装置１，１・・・を概ね一直線状に連結することにより製造される。すなわち、ＬＥＤ照射装置１，１・・・の数を適宜選択することにより、用途に応じて所望の長さのＬＥＤ照射システム１００を製造することができる。
【００２８】
また、このとき、ＬＥＤ照射装置１，１・・・は、それぞれの長手方向に沿って一列に並べられる。すなわち、ＬＥＤ照射システム１００に含まれるＬＥＤ照射装置１，１・・・のうち、隣り合う任意の２つのＬＥＤ照射装置１，１について、一方の（図５において左側の）側面部２０Ｅと他方の（図５において右側の）側面部２０Ｃとが対面し、概ね接触するように配置される。
【００２９】
ここで、上記のとおり、各ＬＥＤ照射装置１のケーシング２０の４枚の側面部２０Ｂ〜２０Ｅのうち、側面部２０Ｂ，２０Ｄには、空気の排出口２２，２２・・・が形成されているが、これらの側面部２０Ｂ，２０Ｄの間に配置される、互いに対向する一対の側面部２０Ｃ，２０Ｅには、空気の排出口となる開口が形成されていない。すなわち、複数のＬＥＤ照射装置１，１・・・を概ね一直線状に配列して、ＬＥＤ照射システム１００を構築するに当たり、隣り合うＬＥＤ照射装置１，１の、空気の排出口２２が形成されていない側面部２０Ｃ，２０Ｅどうしが、互いに対面させられる。従って、複数のＬＥＤ照射装置１，１・・・間での気流の干渉が防止される。
【００３０】
以上のＬＥＤ照射システム１００は、例えば、印刷機に組み込み、紫外線硬化性を有するブラック、シアン、マゼンタ、イエロー（発色用）及び透明（仕上げ用）のインキが塗布された紙面に紫外線を照射するシステム等として利用され得る。
【００３１】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。
＜３−１＞
上記実施形態では、ケーシング２０内へ空気を取り込み、ヒートシンク４０に向けて送風するファン５は１台のみであったが、複数台用意してもよい。また、少なくとも１つの排出口２２付近にヒートシンク４０を冷却した後の空気の排出用のファンを配置してもよい。
【００３２】
＜３−２＞
上記実施形態では、各放熱フィン４が長手方向の指向性を有していたが、別の方向、例えば、主として短手方向の指向性を有するものであってもよいし、無指向性であってもよい。放熱用の突起は、フィンタイプでなく、ピンタイプであってもよい。
【００３３】
＜３−３＞
上記実施形態では、側面部２０Ｃ，２０Ｅには、空気の排出口２２が形成されていないものとしたが、実質的に空気を排出することができない程度の開口であり、連結して使用されるＬＥＤ照射装置１，１・・・間で気流が干渉しない程度の開口であれば、開口が形成されていてもよい。
また、単体として使用されるＬＥＤ照射装置１については、側面部２０Ｂ，２０Ｄだけでなく、側面部２０Ｃ，２０Ｅにおいても、ヒートシンク４０及び基板２，２・・・と概ね同じ高さ位置であって、ケーシング２０の横断面の四隅に相当する部位付近に、空気の排出口２２が形成されていてもよい。
【００３４】
＜３−４＞
上記実施形態では、基板２，２・・・に向かって上方から下方へ送風するファン５が使用されたが、この構成に限定されるものではなく、例えば、基板２，２・・・に向かって斜め下方へ送風するファンが使用されてもよい。また、空気の吸入口２１が形成される位置は、天面部２０Ａの中央付近でなくてもよく、例えば、天面部２０Ａの側面部２０Ｃよりも側面部２０Ｅに近い位置であってもよいし、あるいは、天面部２０Ａではなく、側面部２０Ｂ〜２０Ｅの天面部２０Ａに近い位置であってもよい。また、案内部材６を介して放熱フィン４，４・・・の配列面の中央付近でない位置に空気が供給されるようにしてもよい。ただし、上記実施形態の構成は、ケーシング２０内での気流の概略の方向をヒートシンク４０の中心に対して対称的にし、ヒートシンク４０全体に気流を行き渡り易くする観点からは、有利である。
【００３５】
＜３−５＞
上記実施形態では、放熱フィン４，４・・・と基板２，２・・・とが一体的に形成されていたが、これらが別体であってもよい。例えば、アルミニウム等の熱伝導率の高い金属の材料からなる放熱基板上に、放熱フィン又はピンが配列されている、ヒートシンク部材を用意し、この放熱基板を基板２，２・・・の上面に接触させて又は適当な間隔を空けて配置してもよい。
＜３−６＞
上記実施形態では、案内部材６を備える構成であったが、この構成に限定されず、案内部材６を省略することもできる。
【符号の説明】
【００３６】
１  ＬＥＤ照射装置
２  基板
３  ＬＥＤ（発光ダイオード）
４  放熱フィン
５  ファン（送風機）
２０  ケーシング
２０Ａ  天面部
２０Ｂ  側面部（第１面部）
２０Ｃ  側面部（第３面部）
２０Ｄ  側面部（第２面部）
２０Ｅ  側面部（第４面部）
２０Ｆ  底面部
２１  吸入口
２２  排出口
１００  ＬＥＤ照射システム
【図１】
2014078413.tif 000003
【図２】
2014078413.tif 000004
【図３】
2014078413.tif 000005
【図４】
2014078413.tif 000006
【図５】
2014078413.tif 000007